(57)【要約】【課題】特別な操作を要することなく、遠視や老眼の人にとっても、ファインダー内の文字等のキャラクタ画像を見えやすくする。【解決手段】発光表示部１６によって表示する文字を含むキャラクタ画像を、被写体像又は被写体画像と共に接眼光学系１５を介して、観察者に観察させる。接眼光学系１５は、視度調整のために光軸に沿って、視度調整機構１８によって移動可能である。接眼光学系１５のレンズ位置に応じて、キャラクタ画像の大きさを調整する。【選択図】図１
2008026825.tif 000002
【特許請求の範囲】
【請求項１】
電子表示部によって表示された少なくとも文字を含むキャラクタ画像を、被写体像又は被写体画像と共に接眼光学系を介して観察させるファインダー装置であって、前記接眼光学系の視度を調整可能な視度調整手段を備え、前記接眼光学系の視度に応じて、前記キャラクタ画像の大きさが調整されることを特徴とするファインダー装置。
【請求項２】
前記視度調整手段は、前記接眼光学系を光軸に沿って移動させることにより前記視度を調整させる共に、
前記接眼光学系の位置に応じて、前記キャラクタ画像の大きさが調整されることを特徴とする請求項１に記載のファインダー装置。
【請求項３】
前記被写体像を結像させるために、被写体からの光を捉える対物光学系をさらに備え、
前記電子表示部は、前記被写体からの光が通過する光路に横断し、かつ前記被写体像を結像させる位置の近傍に位置すると共に、有機発光材料を含む有機ＥＬ層を発光させて、前記キャラクタ表示を行うことを特徴とする請求項１に記載のファインダー装置。
【請求項４】
前記接眼光学系の視度が、相対的にプラス側に調整された場合、前記キャラクタ画像の大きさは相対的に大きく表示されることを特徴とする請求項１に記載のファインダー装置。
【請求項５】
前記接眼光学系の視度が、相対的にプラス側に調整された場合、前記キャラクタ画像は、相対的に大きく表示されると共にスクロール表示されることを特徴とする請求項１に記載のファインダー装置。
【発明の詳細な説明】
【技術分野】
【０００１】
本発明は、電子表示部によってファインダー内に文字等を表示可能なファインダー装置であって、特に、電子表示部として有機エレクトロルミネセンス素子が用いられるファインダー装置に関する。
【背景技術】
【０００２】
従来、携帯電話、ＰＤＡ、デジタルカメラ等の各種携帯機器には、液晶、有機エレクトロルミネセンス素子（以下、有機ＥＬ素子という）等で構成される表示部が設けられており、この表示部には画像及び各種文字情報等が表示される。文字情報や画像は、例えば特許文献１に記載されるように、適宜、画像サイズやフォントサイズが変更されて表示される。
【０００３】
また、近年、デジタルカメラのファインダー装置において、ペンタプリズムと焦点板の間の被写体結像位置近傍に有機ＥＬ素子を配設させ、有機ＥＬ素子の発光表示により、ファインダー内に各種文字情報を表示させる試みもなされている（特許文献２、３等参照）。
【特許文献１】特開２００６−７２８８２号公報
【特許文献２】特許第３５３９２５１号公報
【特許文献３】特開２０００−１３７２６８号公報
【発明の開示】
【発明が解決しようとする課題】
【０００４】
しかし、ファインダーの視野領域は狭く、ファインダー内に表示させる文字情報も小さくならざるを得ない。このようなファインダー内の小さな文字情報は、視力の弱い人、特に近距離の物体に焦点が合わせづらい遠視や老眼の人にとっては、見づらいものであった。一方、デジタルカメラのユーザー層は近年広がりつつあり、ユニバーサルデザイン化の要望は強まりつつあり、全てのユーザーに使い勝手の良いカメラの提供が望まれている。
【０００５】
そこで、本発明は、以上の問題点に鑑みてなされたものであり、特別な操作を要することなく、遠視等の視力の弱い人にとっても、ファインダー内の文字情報を視認しやすいように表示することを目的とする。
【課題を解決するための手段】
【０００６】
本発明に係るファインダー装置は、電子表示部によって表示された少なくとも文字を含むキャラクタ画像を、被写体像又は被写体画像と共に接眼光学系を介して観察させるファインダー装置であって、接眼光学系の視度を調整可能な視度調整手段を備え、接眼光学系の視度に応じて、キャラクタ画像の大きさが調整されることを特徴とする。
【０００７】
視度調整手段は、接眼光学系を光軸に沿って移動させることにより視度を調整させる共に、接眼光学系の位置に応じて、キャラクタ画像の大きさが調整されることが好ましい。
【０００８】
本発明に係るファインダー装置は、被写体像を結像させるために、被写体からの光を捉える対物光学系をさらに備えても良い。この場合、電子表示部は、例えば、被写体からの光が通過する光路に横断し、かつ被写体像を結像させる位置の近傍に位置すると共に、有機発光材料を含む有機ＥＬ層を発光させて、キャラクタ表示を行う。
【０００９】
接眼光学系の視度が、相対的にプラス側に調整された場合、キャラクタ画像の大きさは相対的に大きく表示されることが好ましい。また、接眼光学系の視度が、相対的にプラス側に調整された場合、キャラクタ画像は、相対的に大きく表示されると共にスクロール表示されても良い。
【００１０】
なお、本明細書において、「キャラクタ画像」は「数字」、「アルファベット」等の「文字」のみならず「シンボル」、「シンボルマーク」、「マーク」、「アイコン」、「図」、「記号」等の画像を含むものとする。
【発明の効果】
【００１１】
以上のように、本発明では、接眼光学系の視度に応じて、ファインダー内に表示されるキャラクタ画像の大きさが変更される。したがって、遠視や老眼等小さい文字が見づらい使用者でも、特別な操作を要することなく、ファインダー内の文字情報を視認しやすくすることができる。
【発明を実施するための最良の形態】
【００１２】
以下本発明の実施形態について図面を用いて詳細に説明する。
図１は、本実施形態が適用された一眼レフカメラのファインダー装置を示す。なお、以下の説明においては、本発明が一眼レフカメラに適用された場合を説明するが、本発明は、コンパクトカメラ等、その他の撮像装置に適用することも可能である。
【００１３】
ファインダー装置１０は、対物レンズ（対物光学系）１１と、クイックリターンミラー１２と、ピント板１３と、ペンタプリズム１４と、接眼光学系１５と、発光表示部（電子表示部）１６と、ファインダー窓１７と、視度調整機構１８を備える。
【００１４】
被写体で反射された反射光は、対物レンズ１１で捉えられ、クイックリターンミラー１２に導かれそこで反射され、ピント板１３において一旦結像される。結像された上記反射光は、発光表示部１６を透過し、ペンタプリズム１４で２回反射され、接眼光学系１５を介してファインダー窓１７に入射される。発光表示部１６は、有機ＥＬ素子から構成され、ピント板１３と、ペンタプリズム１４の間で、被写体からの光が通過する光路に横断する横断領域上に配置される。すなわち、発光表示部１６は被写体結像位置近傍に配設される。発光表示部１６は文字等のキャラクタ画像を発光表示させ、発光表示部１６から発せられた光も、ペンタプリズム１４、対物レンズ１５を介して、ファインダー窓１７に導かれる。
【００１５】
発光表示部１６の発光表示はピント板１３上に結像された被写体像と共に、接眼光学系１５で光学的に拡大されて観察される。なお、発光表示部１６は、クイックリターンミラー１２とピント板１３の間に配置することも可能である。
【００１６】
クイックリターンミラー１２はレリーズスイッチ（不図示）が押されると、光路上から退避させられ、撮影光学系１１によって導かれた光は、クイックリターンミラー１２の後方に設けられた撮像素子の撮像面又はフィルム面等に導かれ、これらを露光する。
【００１７】
視度調整機構１８は、視度調整のために、光軸に沿って接眼光学系１５を移動させることが可能である。図１に示すように接眼光学系１５が、目から相対的に遠ざけられると、接眼光学系１５の視度がマイナス側に調整され、近視の観察者の目の焦点が被写体結像位置（ピント板１３上）に合わせられ、近視の観察者は発光表示部１６の発光表示及び被写体像を鮮明に観察することができる。また、接眼光学系１５が、目に相対的に近づけられると、接眼光学系１５の視度がプラス側に調整され、遠視や老眼の観察者の目の焦点が被写体結像位置（ピント板１３上）に合わせられ、遠視の観察者は発光表示部１６の発光表示及び被写体像を鮮明に観察することができる。
【００１８】
なお、図１においては、接眼光学系１５は模式的に１つのレンズから成る構成を示したが、複数のレンズから構成されていても良く、複数のレンズのうち、一部のレンズが移動させられることにより視度が調整されても良い。
【００１９】
発光表示部１６の模式的な平面図を図２に、模式的な断面図を図３に示す。図２に示すように、発光表示部１６は、矩形のファインダー視野領域２１と、ファインダー視野領域２１の上下左右の外側を囲み、枠状に形成されたファインダー視野外領域２２とを備える。ファインダー視野領域２１は、ファインダー窓１７（図１参照）から視認可能であるが、ファインダー視野外領域２２はファインダー窓１７から視認することができない領域である。
【００２０】
矩形のファインダー視野領域２１は、被写体を観察するための矩形の撮影視野領域２３と、撮影視野領域２３の上下左右の外側を囲み、四角枠状に形成された情報表示領域２４とを備える。撮影視野領域２３は被写体からの反射光が入射・透過される領域であって、被写体観察に使用される。情報表示領域２４は、各種情報を表示するための領域であって、本実施形態では、情報表示領域２４のうち、撮影視野領域２３の下側に設けられる領域は、発光表示領域２５として使用され、各種情報が発光表示される。
【００２１】
発光表示部１６において、その接眼側には遮光マスク５０が設けられる。遮光マスク５０には、撮影視野領域２３及び発光表示領域２５に対応したそれぞれの位置に、開口部５１、５２が設けられ、開口部５１を介して被写体が観察されると共に、開口部５２を介して発光表示部１６の発光表示が観察される。また、遮光マスク５０によって、情報表示領域２４の発光表示領域２５以外の領域は、発光表示部１６及び被写体からファインダー窓１７（図１参照）に入射される光が遮光される。
【００２２】
図３に示すように、発光表示部１６は、透明基板３１と、透明基板３１に対向して設けられる封止部材３２と、陽極２６、陰極２７、及びこれらに挟持される有機ＥＬ層とを備える。なお、発光表示部１６において、透明基板３１が接眼側に、封止部材３２が対物側に配置される。
【００２３】
透明基板３１、封止部材３２は、ガラス及び合成樹脂等の透明材料から板状に形成される。透明基板３１と封止部材３２は、透明基板３１の上面３１Ｕの周辺部に積層された接着剤層３５を介して互いに接着され、透明基板３１及び封止部材３２の間には密閉空間３９が形成される。密閉空間３９内には電極２６、２７、及び有機ＥＬ層が配置され、これらは、封止部材３２によって封止されている。接着剤層３５は、図３に示すようにファインダー視野外領域２２に配置される。
【００２４】
図２に示すように、陽極２６は発光表示領域２５に複数配設され、それぞれ上下に延び、互いに平行な細長の矩形に形成される。陽極２６は例えばITO（Indium Tin Oxide）、ATO(antimony doped tindioxide)、ZnO（zinc oxide）等の透明導電性金属化合物から形成され、透明基板３１の上面３１Ｕの上に積層される。各陽極２６の上には、有機ＥＬ層３３Ｒ、３３Ｇ、３３Ｂが積層される。図３に示すように、有機ＥＬ層３３Ｒ、３３Ｇ、３３Ｂは、陽極２６が延びる方向に沿って、同一の陽極２６上にこの順で繰り返し並べられると共に、陽極２６の幅方向においても図２に示すように、この順で繰り返し並べられる。有機ＥＬ層３３Ｒ、３３Ｇ、３３Ｂは、陽極２６側から順に例えば正孔輸送材料で構成される正孔輸送層、有機発光材料で構成される有機発光層、電子輸送材料で構成される電子輸送層等が積層されて構成され、それぞれ赤、緑、青色の光を発するように構成される。
【００２５】
有機ＥＬ層３３Ｒ、３３Ｇ、３３Ｂそれぞれの上には、陰極２７が積層される。陰極２７は、例えばアルミニウム、インジウム、マグネシウム、カルシウム、チタニウム、イットリウム、リチウム、及びこれらの合金等の非透過性の陰極金属材料から形成される。
【００２６】
なお、陽極２６は、実際には図２に示した数より多く左右に並べられると共に、有機ＥＬ層も、図３に示した数よりも多数並べられる。また、各有機ＥＬ層３３Ｒ、３３Ｇ、３３Ｂは独立に発光制御可能である。したがって、発光表示領域２５には、有機ＥＬ層３３Ｒ、３３Ｇ、３３Ｂの発光により、文字等のキャラクタ画像をフルカラーでドットマトリックス表示させることが可能である。
【００２７】
なお、本実施形態では、いわゆる３色塗り分け方式により、発光表示領域２５がフルカラー表示されたが、有機ＥＬ層が白色光を発するように構成され、カラーフィルタを用いてフルカラー表示されるようにしても良い。
【００２８】
図４、５は、本実施形態における発光表示領域２５の表示例を示す。発光表示領域２５には、有機ＥＬ層３３Ｒ、３３Ｇ、３３Ｂの発光により、各種キャラクタ画像が表示される。発光表示領域２５に表示されるキャラクタ画像の大きさは、接眼光学系１５の視度に応じて調整される。
【００２９】
接眼光学系１５の視度が基準の視度又は基準の視度よりマイナス側に調整される場合、発光表示領域２５には、各種キャラクタ画像が、図４に示すように、基準の大きさで発光表示される。なお、視度が基準の視度又は基準の視度よりマイナス側に調整されるときの接眼光学系１５のレンズ位置を通常位置というと共に、発光表示領域２５の表示を通常表示という。また、基準の視度とは、例えば通常の視力を有する観察者の目の焦点が、被写体結像位置（ピント板１３上）に合うように調整された接眼光学系１５の視度をいう。
【００３０】
撮影待機状態では、通常表示におけるキャラクタ画像として例えば、撮影モードを示すためのシンボルマーク７１、撮影枚数、日付、時間それぞれを示すための文字７２、７３、７４が表示される。
【００３１】
接眼光学系１５が移動され、その視度が基準の視度よりプラス側に調整されている場合、発光表示領域２５には、各種キャラクタ画像が、図５に示すように、基準の大きさより大きく発光表示される。なお、キャラクタ画像が大きく発光表示される際には、発光表示領域２５における各キャラクタ画像の発光領域が、左右方向、上下方向に同じ割合で拡大される。このように、キャラクタ画像が、大きく表示されると、発光表示領域２５に表示される情報量は少なくなる。したがって、撮影待機状態では、例えば、シンボルマーク７１、及び時間を示すための文字７４のみがキャラクタ画像として表示され、文字７２、７３は表示されない。なお、基準の視度よりプラス側に調整されているときの接眼光学系１５のレンズ位置を遠視位置というと共に、発光表示領域２５の表示を遠視用表示という。
【００３２】
通常、接眼光学系１５の視度がマイナス側又は基準の視度に調整されている場合、ファインダーは、近視又は正常の視力を有する観察者によって観察されており、接眼光学系１５の視度がプラス側の視度に調整されている場合、ファインダーは、遠視又は老眼の視力を有する観察者によって観察されている。
【００３３】
そして、老眼の人や遠視の人は、近い位置の物体に焦点を合わせづらく、ファインダーに表示されるキャラクタ画像を大きくしなければ、視認することが難しい。したがって、本実施形態では、接眼光学系１５の視度によって観察者の視力を判断し、視度がプラス側にあり観察者が遠視又は老眼であると判断した場合、上述したように、キャラクタ画像を大きく表示するように調整している。
【００３４】
なお、発光表示領域２５の表示が、通常表示、及び遠視用表示いずれのときでも、レリーズボタンが半押しされ測光が行われると、上記シンボルマーク、及び文字の表示に加えて、図４、５に示すように、シャッタースピード、及び露光値を示すための文字７５、７６が表示される。文字７５、７６の大きさも、他のキャラクタ画像と同様に接眼光学系１５の視度に応じて調整される。
【００３５】
図６は、本実施形態に係る一眼レフカメラのブロック図である。図７は本実施形態のカメラの撮影動作を示すフローチャートである。本実施形態の一眼レフカメラ全体の撮影動作はＣＰＵ５２で制御される。
【００３６】
本ルーチンは、電源スイッチ６１が入力されることにより開始され、電源スイッチ６１が入力されると、ステップＳ１００に示すように、発光表示部１６の駆動が開始され、発光表示領域２５に有機ＥＬ層の発光により、キャラクタ画像が表示される。
【００３７】
本ルーチンの初期状態では、発光表示領域２５の表示は、接眼光学系１５の視度に応じて制御されておらず、図４に示す通常表示に設定され、キャラクタ画像は基準の大きさで表示される。なお、ステップＳ１００では、発光表示領域２５には、撮影モードを示すためのシンボルマーク７１、撮影枚数、日付、時間を示すための文字７２、７３、７４が表示される。
【００３８】
次いで、カメラは撮影待機状態にされ、ステップＳ１０５〜Ｓ１１０において、電源スイッチ６１が入力されるまで、又はレリーズボタン（不図示）が押されるまで待機される。ステップＳ１０５で、電源スイッチ６１が入力されたと判定されると、一眼レフカメラの動作が終了すると共に、発光表示部１６の駆動が停止し、本ルーチンは終了する。また、ステップＳ１１０では、レリーズボタン（不図示）の半押しにより、第１のスイッチ６２が入力されたと判定されるとステップＳ１２０に進む。
【００３９】
なお、ステップＳ１０５〜Ｓ１１０の間において、モードスイッチ（不図示）の入力により撮影モードが切り替えられると、割り込み動作が実施され、切り替えられた撮影モードに応じてシンボルマーク７１の表示が切り替えられる。なお、図４、５に示したキャラクタは撮影モードが風景モードであることを示す。
【００４０】
ステップＳ１２０では、接眼光学系１５の位置が検知され、ステップＳ１３０においてレンズ位置が遠視位置にあるか否かが判定される。そして、接眼光学系１５が遠視位置にあると判定されると、ステップＳ１４０において、発光表示領域２５の表示が、図５に示すような遠視用表示に設定される。すなわち、発光表示領域２５には、基準の大きさより相対的に大きくされたシンボルマーク７１、及び時間を示すため文字７４が表示される。そして、撮影枚数、日付を示すための文字７２、７３は表示されない。
【００４１】
一方、ステップＳ１３０でレンズ位置が遠視位置ではない、すなわち通常位置であると判定された場合、ステップＳ１５０で発光表示領域２５の表示が通常表示に設定され、図４に示すように発光表示領域２５には、撮影モードを示すためのシンボルマーク７１、撮影枚数、日付、時間を示すための文字７２、７３、７４が表示される。
【００４２】
ステップＳ１４０、Ｓ１５０終了後、ステップＳ１６０では、ＡＥ回路５３によって、被写体輝度が測光され、その被写体輝度に基づき、シャッタースピード、絞り値が算出される。次いで、ステップＳ１７０において、ＡＦ回路５４によって、被写体距離が測定される。そして、ステップＳ１８０では、レンズ駆動回路５６によって、被写体距離に応じた合焦位置に、対物レンズ１１が移動させられ、対物レンズ１１が合焦させられる。
【００４３】
ステップＳ１８０で対物レンズ１１が合焦した後、ステップＳ１９０では、発光表示部１６の発光調整が行われ、既に表示されているシンボルマーク、文字に加えて、シャッタースピード、絞り値を示すための文字７５、７６も発光表示される。ここで、文字７５、７６は、ステップＳ１４０で接眼光学系１５が通常位置にあると判定されていた場合、図４に示すように基準の大きさで表示される。一方、遠視位置であると判定されていた場合、文字７５、７６は、図５に示すように基準の大きさより相対的に大きく発光表示される。
【００４４】
ステップＳ２００では、レリーズボタンが全押しされ、第２のスイッチ６３が入力されたか否かが判定され、ステップＳ２００で第２のスイッチ６３の入力がないと判定された場合、ステップＳ２１０に進む。ステップＳ２１０では、第１のスイッチ６２の入力の有無が判定される。そして、第１のスイッチ６２が入力されて半押し状態が継続されていると判定された場合、ステップＳ２００に戻る。一方、第１のスイッチ６２の入力がなく、半押し状態が継続されていないと判定された場合、ステップＳ２３０に進む。
【００４５】
一方、ステップＳ２００で第２のスイッチ６３が入力されたと判定された場合、ステップＳ２２０において、被写体の撮影が行われる。すなわち、クイックリターンミラー１２（図１参照）が光路から退避され、ＣＣＤ又はフィルムの露光が行われ、静止画像が得られる。なおこのとき、シャッタースピード、絞り値はステップＳ１６０で算出されたものが使用されると共に、被写体輝度が所定値より低い場合、ストロボ回路５５によってストロボが発光される。撮影動作が終了すると、ステップＳ２３０に進む。
【００４６】
ステップＳ２３０では、発光表示部１６の発光が調整され、文字７５、７６の発光が停止され、シャッタースピード、露光値の表示が停止される。その他の文字７２〜７４（若しくは７４）、及びキャラクタ７１の発光表示は、ステップＳ１４０若しくはＳ１５０で設定された表示状態が維持されて継続される。ステップＳ２３０が終わると、ステップＳ１０５に戻る。
【００４７】
以上のように本実施形態では、接眼光学系１５の視度（レンズ位置）から、観察者が遠視（若しくは老眼）であるか否かが判別され、観察者が遠視等であると判別すると、キャラクタ画像が基準の大きさより大きく発光表示させられる。したがって、遠視等の観察者は、特別な操作を行うことなく、キャラクタ画像を容易に視認することができる。
【００４８】
なお、本実施形態では、遠視用表示において、各キャラクタ画像は、拡大表示されるとき、発光表示領域２５の同じ位置に固定的に表示されていたが、例えば図５の左から右にスクロール移動しつつ、順次表示されるようにしても良い。このようにすれば、キャラクタ画像を大きくしても大量の情報を使用者に提供することができるので、本実施形態では表示できなかった文字７２、７３も表示させることができる。また、一部のキャラクタ画像がスクロール表示され、一部のキャラクタ画像が情報表示領域に固定的に表示されるようにしても良い。
【００４９】
なお、本実施形態のファインダー装置は、ピント板１３上に結像された光学的な被写体像を観察させる構成であったが、ファインダー装置は、いわゆる電子ファインダーであっても良い。すなわち、ファインダー装置は、被写体を電子的画像として撮像して、その電子的画像を液晶表示装置、又は有機ＥＬ素子で構成される電子表示部に表示させ、その電子的画像を接眼光学系を介して観察させる構成のものであっても良い。この場合、電子的画像は、キャラクタ画像と同一の電子表示部に表示されても良いし、別の電子表示部に表示されても良い。
【図面の簡単な説明】
【００５０】
【図１】一眼レフカメラのファインダー装置の平面図である。
【図２】発光表示部の平面図である。
【図３】発光表示部の断面図である。
【図４】通常表示におけるキャラクタ画像の表示例である。
【図５】遠視用表示におけるキャラクタ画像の表示例である。
【図６】一眼レフカメラのブロック図である。
【図７】撮影動作ルーチンを示すフローチャートである。
【符号の説明】
【００５１】
１０  ファインダー装置
１１  対物レンズ（対物光学系）
１６  発光表示部
１７  ファインダー窓
１８  視度調整機構
２１  ファインダー視野領域
２３  撮影視野領域
２４  情報表示領域
２５  発光表示領域
３３Ｒ、３３Ｇ、３３Ｂ  有機ＥＬ層
７１  シンボルマーク
７２〜７６  文字
【図１】
2008026825.tif 000003
【図２】
2008026825.tif 000004
【図３】
2008026825.tif 000005
【図４】
2008026825.tif 000006
【図５】
2008026825.tif 000007
【図６】
2008026825.tif 000008
【図７】
2008026825.tif 000009